(57)【要約】【課題】  ドレンポンプの周囲においてスライムの発生ないしは成長を抑制することができるドレンアップ装置、このようなドレンアップ装置を備えた空気調和機、及び、スライム抑制方法を提供する。【解決手段】  空気調和機のドレンポンプ３０は、インペラ３２を駆動するモータ３５の回転軸３６に連結させた攪拌羽根４１をドレン吸込口３３の外側に備えている。そして、ドレンポンプ３０のインペラ３２を駆動するモータ３５を駆動することにより、攪拌羽根４１が回転し、ドレンパン１８の窪み１８ａに溜まったドレン水を攪拌する。これにより、ドレン水に流れを起こして、スライムの発生ないしは成長を抑制することができる。また、ドレン水に流れを起こすことにより、発生初期におけるスライムを固体表面から離れされて浮遊させ、ドレン水と一緒にドレンポンプ３０により吸引、除去し、スライムの成長を抑制することができる。【選択図】      図２
2007085625.tif 000002
【特許請求の範囲】
【請求項１】
ドレンパンと前記ドレンパン内に溜まったドレン水を排出するドレンポンプとを備えたドレンアップ装置であって、
前記ドレンパン内の前記ドレンポンプの周囲のドレン水を攪拌する攪拌手段を備えたことを特徴とするドレンアップ装置。
【請求項２】
前記攪拌手段は、回転により前記ドレンポンプの周囲のドレン水を攪拌するための回転部材を有することを特徴とする請求項１に記載のドレンアップ装置。
【請求項３】
前記回転部材は、前記ドレンポンプのインペラを駆動するモータの回転軸に連結させて前記ドレンポンプの吸込口の外側に備えたことを特徴とする請求項２に記載のドレンアップ装置。
【請求項４】
前記攪拌手段は、マグネットスターラーと前記ドレンパン内に置いた攪拌子とを有することを特徴とする請求項１に記載のドレンアップ装置。
【請求項５】
前記マグネットスターラーは、前記ドレンポンプのインペラを駆動するモータの回転軸に連結させて備えたことを特徴とする請求項４に記載のドレンアップ装置。
【請求項６】
前記攪拌手段は、前記ドレンポンプにより吸引されたドレン水を前記ドレンポンプの周囲に環流させることにより前記ドレンポンプの周囲のドレン水を攪拌する手段であることを特徴とする請求項１に記載のドレンアップ装置。
【請求項７】
請求項１〜６のいずれか１つに記載のドレンアップ装置を備えたことを特徴とする空気調和機。
【請求項８】
スライムの発生ないしは成長を抑制するスライム抑制方法であって、
水が滞留しスライムが発生しやすい滞留部において、滞留水を撹拌する撹拌手段により、水に流れを起こすことでスライムの発生ないしは成長を抑制することを特徴とするスライム抑制方法。
【発明の詳細な説明】
【技術分野】
【０００１】
本発明は、ドレンアップ装置、空気調和機、及び、スライムの発生ないしは成長を抑制するためのスライム抑制方法に関する。
【背景技術】
【０００２】
空気調和機においては、室内空気は、蒸発器で冷却され、室内空気中の水分が凝縮して熱交換器のフィンに付着し、蒸発器の下方に載置されるドレンパンに滴下して集められる。ドレンパンに集められたドレン水は、例えば、天井埋込型の空気調和機においては、ドレンポンプを用いて強制的に外部に排出される。
【０００３】
このように、ドレンパンにはドレン水が滞留するため、スライムが発生しやすく、スライムが発生すると、水漏れ等の問題が発生するため、スライムの発生ないしは成長を抑制するための様々な技術が開発されている（例えば、特許文献１参照。）。この特許文献１には、ドレンポンプにより排出されるドレン水をドレンパンの上流側部位に還流させる技術が開示されている。ドレンパンの上流側に還流されたドレン水がドレンパンをその上流側から下流側に向かって流速をもって流れる際、このドレン水によってドレンパンに付着している塵埃が洗い流され、堆積した塵埃を原因とするカビとか悪臭の発生、あるいはスライムの発生が抑制される。
【特許文献１】特開平１１−３５１６０４号公報（第３，４頁）
【発明の開示】
【発明が解決しようとする課題】
【０００４】
しかし、スライムは、ドレン水が滞留している部分で、より発生しやすく、ドレンポンプの下に位置する、ドレンパンにおいて他の部分より深くなっている部分や、ドレンポンプにおいてドレン水に浸漬している部分で、スライムが発生しやすい。そして、ドレンポンプの吸込口の周囲においてスライムが発生すると、ドレンポンプによるドレン水の吸引が妨げられることがある。これに対し、上記特許文献１の技術は、ドレンポンプの周囲におけるドレン水が滞留している部分のドレン水を攪拌するものではなく、ドレンポンプの周囲においてスライムの発生ないしは成長を抑制するものではない。
【０００５】
本発明は、上記課題を解決するためになされたものであり、その目的は、ドレンポンプの周囲においてスライムの発生ないしは成長を抑制することができるドレンアップ装置、このようなドレンアップ装置を備えた空気調和機、及び、スライムの発生ないしは成長を抑制するスライム抑制方法を提供することにある。
【課題を解決するための手段】
【０００６】
上記問題点を解決するために、請求項１に記載の発明は、ドレンパンと前記ドレンパン内に溜まったドレン水を排出するドレンポンプとを備えたドレンアップ装置であって、前記ドレンパン内の前記ドレンポンプの周囲のドレン水を攪拌する攪拌手段を備えたことを要旨とする。
【０００７】
これによれば、ドレンアップ装置のドレンパン内に溜まったドレン水を排出するドレンポンプの周囲のドレン水を攪拌することにより、ドレン水に流れを起こして、スライムの発生ないしは成長を抑制できる。また、ドレン水に流れを起こすことにより、発生したスライムについても、発生初期の段階で、固体表面から離れさせて浮遊させ、これをドレンポンプによりドレン水とともに汲上げて除去することにより、スライムの成長を抑制できる。
【０００８】
請求項２に記載の発明は、請求項１に記載のドレンアップ装置において、前記攪拌手段は、回転により前記ドレンポンプの周囲のドレン水を攪拌するための回転部材を有することを要旨とする。
【０００９】
これによれば、回転部材が回転することにより、ドレンポンプの周囲のドレン水を攪拌できる。回転部材は、回転することによりドレンポンプの周囲のドレン水を攪拌できればよく、形状は特に限定されない。例えば、棒、板、羽根等を回転部材として用いることができる。
【００１０】
請求項３に記載の発明は、請求項２に記載のドレンアップ装置において、前記回転部材は、前記ドレンポンプのインペラを駆動するモータの回転軸に連結させて前記ドレンポンプの吸込口の外側に備えたことを要旨とする。
【００１１】
これによれば、前記ドレンポンプのインペラを駆動するモータを駆動することにより、回転部材が回転し、ドレン水を攪拌できる。このため、インペラを回転させてドレンポンプによりドレン水を汲み上げる際に、同時に、回転部材を回転させて、ドレン水を攪拌できる。そして、攪拌により生じた水の流れにより固体表面から離されて浮遊している状態のスライムを、再度、固体表面に付着する前に、ドレン水と一緒にドレンポンプにより吸引し、除去できる。また、回転部材用のモータをインペラ用のモータと兼用することができる。
【００１２】
請求項４に記載の発明は、請求項１に記載のドレンアップ装置において、前記攪拌手段は、マグネットスターラーと前記ドレンパン内に置いた攪拌子とを有することを要旨とする。
【００１３】
これによれば、マグネットスターラーと前記ドレンパン内に置いた攪拌子とにより、ドレン水を攪拌できる。
請求項５に記載の発明は、請求項４に記載のドレンアップ装置において、前記マグネットスターラーは、前記ドレンポンプのインペラを駆動するモータの回転軸に連結させて備えたことを要旨とする。
【００１４】
これによれば、前記ドレンポンプのインペラを駆動するモータを駆動することにより、前記マグネットスターラーが回転し、これにより、攪拌子が駆動されることにより、ドレン水を攪拌できる。このため、インペラを回転させてドレンポンプによりドレン水を汲み上げる際に、同時に、マグネットスターラーにより攪拌子を駆動して、ドレン水を攪拌できる。そして、攪拌により生じた水の流れにより固体表面から離されて浮遊している状態のスライムを、再度、固体表面に付着する前に、ドレン水と一緒にドレンポンプにより吸引し、除去できる。また、マグネットスターラー用のモータをインペラ用のモータと兼用することができる。
【００１５】
請求項６に記載の発明は、請求項１に記載のドレンアップ装置において、前記ドレンポンプにより吸引されたドレン水を前記ドレンポンプの周囲に環流させることにより前記ドレンポンプの周囲のドレン水を攪拌する手段であることを要旨とする。
【００１６】
これによれば、前記ドレンポンプにより吸引されたドレン水を前記ドレンポンプの周囲に環流させることにより前記ドレンポンプの周囲のドレン水を攪拌できる。
請求項７に記載の発明は、請求項１〜６のいずれか１つに記載のドレンアップ装置を備えたことを要旨とする。
【００１７】
これによれば、空気調和機のドレンアップ装置において、ドレンパン内に溜まったドレン水を排出するドレンポンプの周囲のドレン水を攪拌することにより、水に流れを起こして、スライムの発生ないしは成長を抑制できる。また、ドレン水に流れを起こすことにより、発生したスライムについても、発生初期の段階で、固体表面から離れさせて浮遊させ、これをドレンポンプによりドレン水とともに汲上げて除去することにより、スライムの成長を抑制できる。
【００１８】
請求項８に記載の発明は、スライムの発生ないしは成長を抑制するスライム抑制方法であって、水が滞留しスライムが発生しやすい滞留部において、滞留水を撹拌する撹拌手段により、水に流れを起こすことでスライムの発生ないしは成長を抑制することを要旨とする。
【００１９】
これによれば、水が滞留しスライムが発生しやすい滞留部において、滞留水を撹拌する撹拌手段により水に流れを起こすことによりスライムの発生ないしは成長を抑制できる。
【発明の効果】
【００２０】
本発明によれば、スライムの発生ないしは成長を抑制することができ、特に、ドレンポンプの周囲においてスライムの発生ないしは成長を抑制することができる。
【発明を実施するための最良の形態】
【００２１】
（第１の実施形態）
以下、本発明を具体化した第１の実施形態を説明する。本実施形態では、ドレンポンプの周囲においてスライムの発生ないしは成長を抑制することができるドレンアップ装置、このようなドレンアップ装置を備えた空気調和機及びスライム抑制方法として説明する。
【００２２】
以下、本発明のドレンアップ装置を備えた天井埋込式の空気調和機（本発明の空気調和機）について、図１及び図２を用いて説明する。
図１に示すように、空気調和機本体１１は、空調室の天井に形成された開口に挿入されて配置されたケーシング１３と、ケーシング１３の下側に配置された化粧パネル（図示せず）とを備えている。ケーシング１３の内部には、略四角環状の熱交換器１４と、この略四角環状の熱交換器１４の中心部にあって吸込側を下向きとし、且つ吹出側を熱交換器１４の側面とした送風機１５とが配設されている。
【００２３】
熱交換器１４の下側には、熱交換器１４において発生するドレン水を受けるためのドレンパン１８が配置されている。ドレンパン１８は、熱交換器１４の底面の全域に対応し得るように、略四角環状の平面形状をもつとともに、熱交換器１４の下側に形成されドレン水を受けるドレン受け溝を有している。そして、ドレンパン１８のドレン受け溝のうち熱交換器１４が配置されていない部分、すなわち、ケーシング１３に形成された吹出空気通路２０の間に、ドレンパン１８に連通されるポンプ室２２が形成されており、ポンプ室２２内にドレンポンプ３０が配設されている。
【００２４】
ドレンポンプ３０は、図２（ａ）に示すように、下面に位置するドレン吸込口３３と側面に位置するドレン排出口３４とを有するポンプケーシング３１と、ポンプケーシング３１内にあってモータ３５により回転駆動されるインペラ３２とを備えている。モータ３５は、モータ３５の側面に装着されたモータ取付具３９により空気調和機本体１１のケーシング１３に取り付けられている。
【００２５】
ポンプケーシング３１は、インペラ３２を内包する下部ケーシング３１ａと、下部ケーシング３１ａの上部開口を覆うとともに中心部に円形穴３７を有する上部ケーシング３１ｂとをシール部材３１ｃにより結合されて構成されている。そして、インペラ３２の回転
軸３６は、円形穴３７を貫通してモータ３５に連結されている。
【００２６】
ドレン吸込口３３は、ポンプケーシング３１における下部ケーシング３１ａの中心部（即ち、インペラ３２の回転中心に対応する位置）に形成されている。また、ドレン排出口３４は、下部ケーシング３１ａの側面からラッパ状に一体に突設されている。
【００２７】
インペラ３２は、主として、モータ３５の駆動軸に連結された回転軸３６と、下部ケーシング３１ａ内に配置された主羽根３２ａと、主羽根３２ａの下側に配置された補助羽根３２ｂと、主羽根３２ａと補助羽根３２ｂとの間に配置されており中央に環状の貫通孔からなる開口部を有する円板状の受皿部３２ｃとから構成されている。
【００２８】
そして、インペラ３２の補助羽根３２ｂの下側には、回転軸３６に連結した軸部４０に、回転部材としての攪拌羽根４１が備えられている。すなわち、本実施形態では、攪拌羽根４１とこの攪拌羽根４１を駆動するモータ３５とが攪拌手段を構成する。
【００２９】
ドレンポンプ３０の下側には、ドレンパン１８において窪み１８ａが形成されている。ドレンパン１８上の前記ドレン受け溝は、窪み１８ａ側に傾斜しており、ドレン水は窪み１８ａ側に流れて、窪み１８ａ内に溜められる。そして、図２（ａ）に示すように、攪拌羽根４１及びドレンポンプ３０の補助羽根３２ｂの下部を含む部分をドレン水に浸漬した状態となっている。なお、図２（ｂ）は、窪み１８ａの下方を視点とした、下部ケーシング３１ａの下部と、攪拌羽根４１とを示す説明図である。
【００３０】
モータ３５を駆動すると、インペラ３２とともに攪拌羽根４１が回転する。そして、攪拌羽根４１が回転することで、ドレンパン１８内のドレン吸込口３３の周囲のドレン水を攪拌し、ドレン水に流れが起こされる。
【００３１】
また、窪み１８ａに溜まったドレン水は、補助羽根３２ｂによって、ドレン吸込口３３から吸い込まれ、下部ケーシング３１ａ内を上昇し、主羽根３２ａによって昇圧された後、下部ケーシング３１ａの側面からラッパ状に一体に突設されたドレン排出口３４から空気調和機本体１１のケーシング１３の外に吐出される。
【００３２】
ドレンパン１８内において、ドレンポンプ３０の周囲は、ドレン水が滞留し、スライムが発生しやすい場所であるが、ドレン水に流れを起こすことにより、スライムが発生ないし成長しにくい環境にすることができる。また、スライム（バイオフィルム）の初期発生においては、細菌が固体表面に付着することにより、固体表面に吸着、濃縮された栄養源を利用して増殖し、同時に水分保持等のため多糖性物質（スライム）を産生するが、発生初期においては、スライムは、一部が固体表面に付着しているとともに一部が浮遊してい状態となっている。発達したスライム（バイオフィルム）が形成される前に、このように固体表面に緩やかな結合により付着したスライムを、ドレン水を物理的に攪拌することにより固体表面から離れさせて浮遊させる。そして、浮遊したスライムを、ドレン水と一緒にドレンポンプ３０により吸引し、除去する。
【００３３】
以上、本実施形態によれば、以下に示す効果を得ることができる。
（１）上記第１の実施形態では、ドレンパン１８内に溜まったドレン水を排出するドレンポンプ３０の周囲のドレン水を、攪拌羽根４１を回転させることにより攪拌する。これにより、ドレン水に流れを起こすことができる。ドレンパン１８内のドレンポンプ３０の周囲はドレン水が滞留しスライムが発生しやすい場所であるが、ドレン水に流れを起こすことにより、スライムの発生ないしは成長を抑制できる。また、ドレン水を物理的に攪拌することにより、発生初期の固体表面に緩やかに結合した状態のスライムを、固体表面から離れさせて浮遊させ、ドレン水と一緒にドレンポンプ３０により吸引、除去することに
より、スライムの成長を抑制することができる。
【００３４】
（２）上記第１の実施形態では、攪拌羽根４１は、ドレンポンプ３０のインペラ３２を駆動するモータ３５の回転軸３６に連結させてドレンポンプ３０のドレン吸込口３３の外側に備えている。これにより、ドレンポンプ３０のインペラ３２を駆動するモータ３５を駆動することにより、攪拌羽根４１が回転し、ドレン水を攪拌できる。このため、インペラ３２を回転させてドレンポンプ３０によりドレン水を汲み上げる際に、同時に、攪拌羽根４１を回転させて、ドレン水を攪拌できる。そして、ドレン水の攪拌により、発生初期におけるスライムを固体表面から離れさせて浮遊させ、再度、固体表面に付着する前に、ドレン水と一緒にドレンポンプ３０により吸引し、除去することができる。また、攪拌羽根４１用のモータをインペラ３２用のモータと兼用することができる。
【００３５】
（第２の実施形態）
以下、本発明を具体化した第２の実施形態について図３を用いて説明する。本実施形態では、以下に示すドレンポンプ３０の吸引部における構成の他は、上記第１の実施形態の場合と同様であるため、説明を省略する。
【００３６】
図３（ａ）に示すように、ドレンポンプ３０は、インペラ３２の補助羽根３２ｂの下部に、磁石５１を備えている。一方、ドレンパン１８のドレンポンプ３０の下の窪み１８ａには、攪拌子５２が置かれている。そして、上記第１の実施形態の場合と同様に、窪み１８ａ内にドレン水が溜められており、攪拌子５２及びドレンポンプ３０の補助羽根３２ｂの下部を含む部分をドレン水に浸漬した状態となっている。なお、図３（ｂ）は、窪み１８ａの下方を視点とした、下部ケーシング３１ａの下部に囲まれた補助羽根３２ｂと、補助羽根３２ｂに備えられた磁石５１と、攪拌子５２とを示す説明図である。
【００３７】
モータ３５を駆動すると、インペラ３２とともにインペラ３２の補助羽根３２ｂに備えられた磁石５１が回転する。このように、モータ３５の駆動によりインペラ３２とともに磁石５１が回転することで、モータ３５により回転する磁石５１がマグネットスターラーとして機能する。そして、ドレンパン１８のドレンポンプ３０の下の窪み１８ａに置かれた攪拌子５２が、磁石５１の回転に伴って駆動され、この攪拌子５２の動きによりドレン水が攪拌され、ドレン水に流れが起きる。すなわち、本実施形態では、モータ３５により駆動されるインペラ３２に備えられた磁石５１と、モータ３５と、攪拌子５２とが攪拌手段を構成する。そして、ドレンポンプ３０は、上記第１の実施形態の場合と同様に、ドレン吸込口３３からドレン水を吸入し、ドレン排出口３４から吐出する。
【００３８】
本実施形態の場合も、上記第１の実施形態の場合と同様に、ドレン水に流れを起こすことにより、スライムが発生ないし成長しにくい環境にすることができる。また、上記第１の実施形態の場合と同様に、ドレン水の攪拌により浮遊させられたスライムは、ドレン水と一緒にドレンポンプ３０により吸引され、除去される。
【００３９】
以上、本実施形態によれば、上記第１の実施形態における（１）の効果に加えて、以下に示す効果を得ることができる。
（３）上記第２の実施形態では、インペラ３２を駆動するモータ３５の回転軸３６に連結させて備えられたマグネットスターラーとして機能する磁石５１が回転することにより、ドレンパン１８のドレンポンプ３０の下の窪み１８ａに置かれた攪拌子５２が駆動される。そして、この攪拌子５２の動きによりドレン水が攪拌される。このため、インペラ３２を回転させてドレンポンプ３０によりドレン水を汲み上げる際に、同時に、磁石５１を回転させて、攪拌子５２によりドレン水を攪拌できる。そして、ドレン水の攪拌により、発生初期におけるスライムを固体表面から離れさせて浮遊させ、再度、固体表面に付着する前に、ドレン水と一緒にドレンポンプ３０により吸引し、除去することができる。また
、マグネットスターラー用のモータをインペラ３２用のモータと兼用することができる。
【００４０】
なお、上記各実施形態は以下のように変更してもよい。
・  上記第１の実施形態では、回転部材としての攪拌羽根４１を、インペラ３２を駆動するモータ３５に連結して備えた。これに代えて、インペラ３２を駆動するモータ３５に連結させない回転部材を備えてもよい。これにより、インペラ３２の駆動とは関係なく、回転部材を回転させてドレン水を攪拌することができる。従って、インペラ３２を回転させてドレン水を汲み上げているとき以外でも、適宜、ドレン水を攪拌できる。なお、この場合も、ドレン水を汲み上げる際に、回転部材を回転させてドレン水を攪拌してもよい。
【００４１】
・  上記第１の実施形態では、回転によりドレンポンプの周囲のドレン水を攪拌するための回転部材として攪拌羽根４１を用いたが、回転部材は、回転することによりドレンポンプの周囲のドレン水を攪拌できればよく、形状は特に限定されない。例えば、羽根の他、棒、板等であってもよい。
【００４２】
・  上記第２の実施形態では、磁石５１を、インペラ３２を駆動するモータ３５に連結させて備え、モータ３５を駆動してインペラ３２を回転させることにより磁石５１を回転させ、マグネットスターラーとして機能させた。これに代えて、インペラ３２を駆動するモータ３５に連結させないマグネットスターラーを備えてもよい。例えば、ドレンパン１８の窪み１８ａの下にマグネットスターラーを備える。これにより、インペラ３２の駆動とは関係なく、マグネットスターラーを駆動して、攪拌子の動きによりドレン水を攪拌することができる。従って、インペラ３２を回転させてドレン水を汲み上げているとき以外でも、適宜、ドレン水を攪拌できる。なお、この場合も、ドレン水を汲み上げる際に、マグネットスターラーを駆動して、攪拌子の動きによりドレン水を攪拌してもよい。
【００４３】
・  上記第１，第２の実施形態では、回転部材としての攪拌羽根４１や、マグネットスターラーにより駆動される攪拌子５２によりドレン水を攪拌したが、ドレン水に流れを起こすことができれば、攪拌手段はこれに限られるものではない。例えば、ドレンポンプにより吸引されたドレン水をドレンパンのドレンポンプの周囲に環流させることによりドレンポンプの周囲のドレン水を攪拌してもよい。この場合も、ドレンポンプの周囲のドレン水に流れを起こすことにより、スライムの発生ないしは成長を抑制できる。
【００４４】
・  上記第１，第２の実施形態では、天井埋込式の空気調和機について説明したが、ドレンポンプ及びドレンパンを備えた空気調和機であれば、本発明の空気調和機は、天井埋込式のものに限られない。なお、空気調和機は、空気清浄機や加湿器を含むこととする。
【００４５】
・  上記第１，第２の実施形態では、空気調和機におけるドレンアップ装置（ドレンポンプ及びドレンパン）について本発明を具体化したが、本発明のドレンアップ装置は、これに限られるものではない。本発明のドレンアップ装置としては、ドレン水を溜めるドレンパンと、ドレンパン内に溜まったドレン水を汲み上げて排出するドレンポンプとを備えたドレンアップ装置であれば、どの様な機器において使用されるドレンアップ装置にも具体化できる。
【００４６】
・  上記第１，第２の実施形態では、空気調和機におけるドレンアップ装置（ドレンポンプ及びドレンパン）において、本発明のスライム抑制方法を具体化したが、本発明のスライム抑制方法は、この場合に限定されるものではない。水の流れを起こしてスライムの発生ないしは成長を抑制することに関しては、水の廃棄を行わない場合にも効果を得ることができる。また、スライムの発生初期において、水の流れを起こして、スライムを浮遊させ、これを除去することにより、スライムの成長を抑制することに関しては、水の排出をポンプによる汲上げによらずに行う場合についても、効果を得ることができる。例えば
、水が断続的に流れる場合、水が滞留しているときにスライムが発生しやすいが、このときに水を攪拌して水の滞留部分において水流を起こしてスライムの発生ないしは成長を抑制する。また、発生したスライムについても初期発生の段階で、水を攪拌することにより浮遊させ、水が流れる際に、浮遊しているスライムも一緒に除去されるようにする。これにより、ドレンポンプ及びドレンパンを備えたドレンアップ装置に限らず、水が滞留する部分、特に水が一時的に滞留する部分において、スライムの発生ないしは成長を抑制することができる。
【図面の簡単な説明】
【００４７】
【図１】本発明の第１の実施形態にかかる空気調和機本体の横断平面図。
【図２】（ａ）は第１の実施形態にかかるドレンポンプとその周囲の断面図、（ｂ）はその底面の説明図。
【図３】（ａ）は第２の実施形態にかかるドレンポンプとその周囲の断面図、（ｂ）はその底面の説明図。
【符号の説明】
【００４８】
１１…空気調和機本体、１８…ドレンパン、３０…ドレンポンプ、３２…インペラ、３５…モータ、３６…回転軸、４１…回転部材としての攪拌羽根、５１…磁石、５２…攪拌子。
【図１】
2007085625.tif 000003
【図２】
2007085625.tif 000004
【図３】
2007085625.tif 000005